(57)【要約】      （修正有）【課題】装置に対する異なるＩＤが設定されたリモコンからの操作を防止する。【解決手段】情報処理装置２００が、リモコン１００から第１のリモコン識別情報が送信されてきた際、情報処理装置２００の記憶部にリモコン識別情報が記憶されていない場合、第１のリモコン識別情報を記憶部に記憶する。第１の識別情報と記憶部に記憶されている識別情報とが一致することが確認された場合、第１の識別情報とともに送信されてきた制御信号に基づいた制御を情報処理装置２００に行う。【選択図】図１
2015032951.tif 000002
【特許請求の範囲】
【請求項１】
識別情報を記憶する記憶部と、
リモコン装置から第１の識別情報が送信されてきた際、前記記憶部に前記識別情報が記憶されているか否かを判定し、前記記憶部に前記識別情報が記憶されていない場合には、前記第１の識別情報を前記記憶部に記憶させる制御部とを有する情報処理装置。
【請求項２】
請求項１に記載の情報処理装置において、
前記制御部は、前記記憶部に前記識別情報が記憶されている場合、前記第１の識別情報と前記記憶部に記憶されている識別情報とを比較し、該比較の結果、前記第１の識別情報と前記記憶部に記憶されている識別情報とが異なることが確認された場合、該第１の識別情報とともに前記リモコン装置から送信されてきた制御信号に基づく制御を行わないことを特徴とする情報処理装置。
【請求項３】
請求項２に記載の情報処理装置において、
前記制御部は、前記記憶部に前記識別情報が記憶されてなくて前記第１の識別情報を前記記憶部に記憶させた場合、または、前記比較の結果、前記第１の識別情報と前記記憶部に記憶されている識別情報とが一致することが確認された場合、該第１の識別情報とともに送信されてきた前記制御信号に基づいた制御を当該情報処理装置に行うことを特徴とする情報処理装置。
【請求項４】
請求項２または請求項３に記載の情報処理装置において、
前記制御部は、前記記憶部に前記第１の識別情報を記憶させてから、または、前記比較の結果、前記第１の識別情報と前記記憶部に記憶されている識別情報とが一致することが確認されてから、所定の記憶時間が経過すると、前記第１の識別情報または前記第１の識別情報と一致することが確認された識別情報を前記記憶部から消去することを特徴とする情報処理装置。
【請求項５】
請求項２または請求項３に記載の情報処理装置において、
前記制御部は、前記記憶部に前記第１の識別情報を記憶させてから、または、前記比較の結果、前記第１の識別情報と前記記憶部に記憶されている識別情報とが一致することが確認されてから、前記リモコン装置から送信されてきた時間情報が示す前記記憶時間が経過すると、前記第１の識別情報または前記第１の識別情報と一致することが確認された識別情報を前記記憶部から消去することを特徴とする情報処理装置。
【請求項６】
請求項１から５のいずれか１項に記載の情報処理装置において、
前記制御部は、当該情報処理装置の電源を切断する際、前記識別情報を前記記憶部から消去してから、当該情報処理装置の電源を切断することを特徴とする情報処理装置。
【請求項７】
請求項１から６のいずれか１項に記載の情報処理装置において、
当該情報処理装置は、映像を表示する映像表示装置であることを特徴とする情報処理装置。
【請求項８】
情報を処理する情報処理装置と、前記情報処理装置を制御するための制御信号を前記情報処理装置へ送信するリモコン装置とを有する情報処理システムにおいて、
前記リモコン装置は、
前記制御信号を送信する際、当該リモコン装置に設定されている第１の識別情報を送信する送信部を有し、
前記情報処理装置は、
識別情報を記憶する記憶部と、
前記リモコン装置から前記第１の識別情報が送信されてきた際、前記記憶部に前記識別情報が記憶されているか否かを判定し、前記記憶部に前記識別情報が記憶されていない場合には、前記第１の識別情報を前記記憶部に記憶させる制御部とを有する情報処理システム。
【請求項９】
情報処理装置の制御方法であって、
リモコン装置から第１の識別情報が送信されてきた際、前記情報処理装置が具備する記憶部に識別情報が記憶されているか否かを判定する処理と、
前記記憶部に前記識別情報が記憶されていない場合には、前記第１の識別情報を前記記憶部に記憶させる処理とを行う制御方法。
【発明の詳細な説明】
【技術分野】
【０００１】
本発明は、情報を処理する情報処理装置、情報処理システムおよび制御方法に関する。
【背景技術】
【０００２】
一般的に、プロジェクタやモニタなどの情報処理装置に所望の処理を行わせるには、利用者がリモートコントローラー（以下、リモコンと称する）を操作して、情報処理装置を制御するための制御信号をリモコンから情報処理装置へ送信するという手法が用いられている。
【０００３】
近年では、このような情報処理装置を複数台使用する場面において、それらを制御するために複数のリモコンを使用する場合がある。例えば、装置Ａを操作するときには装置Ａ用のリモコンを使用し、装置Ｂを操作するときには装置Ｂ用のリモコンを使用する。このとき、装置Ａと装置Ｂとが互いに同一メーカー製である場合や、同一機種である場合には、装置Ｂ用のリモコンを操作したときに、その操作に応じて装置Ａが動作してしまうなどの意図しない動作が生じてしまうおそれがある。具体的には、広い室内を仕切りなどで２つの会議室Ａ，Ｂに区切り、会議室Ａでは装置Ａを利用者Ａが使用し、会議室Ｂでは装置Ｂを利用者Ｂが使用することを想定する。装置Ａは、利用者ＡのリモコンＡの操作でその動作が制御されると同時に、利用者Ｂが装置Ｂを制御するために行ったリモコンＢの操作によっても動作してしまうおそれがある。
【０００４】
これを回避するために、装置とリモコンとにＩＤ番号をそれぞれ設定し、リモコンに設定されたＩＤ番号を当該リモコンから制御信号とともに装置へ送信し、リモコンから受信したＩＤ番号と装置に設定されたＩＤ番号とが同一である場合、リモコンから受信した制御信号に基づいた制御を行うという技術が使用されている（例えば、特許文献１参照。）。
【先行技術文献】
【特許文献】
【０００５】
【特許文献１】特開２０１１−１９０６３号公報
【発明の概要】
【発明が解決しようとする課題】
【０００６】
しかしながら、特許文献１に記載されたような技術においては、そのリモコンでのみ装置を制御したい場合、当該装置と当該リモコンとの双方に互いに同一のＩＤ番号を設定しなければならなく、その手間がかかってしまうという問題点がある。
【０００７】
本発明の目的は、上述した課題を解決する情報処理装置、情報処理システムおよび制御方法を提供することである。
【課題を解決するための手段】
【０００８】
本発明の情報処理装置は、
識別情報を記憶する記憶部と、
リモコン装置から第１の識別情報が送信されてきた際、前記記憶部に前記識別情報が記憶されているか否かを判定し、前記記憶部に前記識別情報が記憶されていない場合には、前記第１の識別情報を前記記憶部に記憶させる制御部とを有する。
【０００９】
また、本発明の情報処理システムは、
情報を処理する情報処理装置と、前記情報処理装置を制御するための制御信号を前記情報処理装置へ送信するリモコン装置とを有する情報処理システムであって、
前記リモコン装置は、
前記制御信号を送信する際、当該リモコン装置に設定されている第１の識別情報を送信する送信部を有し、
前記情報処理装置は、
識別情報を記憶する記憶部と、
前記リモコン装置から前記第１の識別情報が送信されてきた際、前記記憶部に前記識別情報が記憶されているか否かを判定し、前記記憶部に前記識別情報が記憶されていない場合には、前記第１の識別情報を前記記憶部に記憶させる制御部とを有する。
【００１０】
また、本発明の制御方法は、
情報処理装置の制御方法であって、
リモコン装置から第１の識別情報が送信されてきた際、前記情報処理装置が具備する記憶部に識別情報が記憶されているか否かを判定する処理と、
前記記憶部に前記識別情報が記憶されていない場合には、前記第１の識別情報を前記記憶部に記憶させる処理とを行う。
【発明の効果】
【００１１】
以上説明したように、本発明においては、装置に対する異なるＩＤが設定されたリモコンからの操作を防止することができる。
【図面の簡単な説明】
【００１２】
【図１】本発明の情報処理システムの実施の一形態を示す図である。
【図２】図１に示したリモコンの内部構成の一例を示す図である。
【図３】図２に示した送信部から送信されるリモコン信号の構造の一例を示す図である。
【図４】図１に示した情報処理装置の内部構成の一例を示す図である。
【図５】図４に示した情報処理装置の制御方法の一例を説明するためのフローチャートである。
【図６】他の形態で用いる情報処理装置の内部構成の一例を示す図である。
【図７】図６に示した情報処理装置の制御方法の一例を説明するためのフローチャートである。
【発明を実施するための形態】
【００１３】
以下に、本発明の実施の形態について図面を参照して説明する。
【００１４】
図１は、本発明の情報処理システムの実施の一形態を示す図である。
【００１５】
本形態は図１に示すように、リモコン１００と、情報処理装置２００とから構成されている。
【００１６】
リモコン１００は、利用者が操作することで、情報処理装置２００を遠隔で制御するための制御信号（利用者が指示した操作を示す操作コード）を情報処理装置２００へ送信するリモートコントローラー（リモコン装置）である。
【００１７】
情報処理装置２００は、リモコン１００から送信されてきた制御信号を受信し、受信した制御信号に基づいて情報を処理する装置である。例えば、情報処理装置２００は、映像を表示（投影）する映像表示（投影）装置であっても良いし、その他の電子機器であっても良い。また、情報処理装置２００には、特定のＩＤ番号を送信してきたリモコンの制御信号のみを有効とするモード（以下、設定状態モードと称する）と、ＩＤ番号に関わらずリモコンの制御信号を有効とするモード（以下、無設定状態モードと称する）との２つの動作モードが設定可能である。この動作モードは、情報処理装置２００の外部からの利用者の操作に基づいて設定される。
【００１８】
図２は、図１に示したリモコン１００の内部構成の一例を示す図である。
【００１９】
図１に示したリモコン１００には図２に示すように、入力部１０１と、制御部１０２（第１の制御部）と、送信部１０３と、記憶部１０４（第１の記憶部）とが設けられている。
【００２０】
入力部１０１は、利用者が行う操作（例えば、上下左右、電源オン／オフなどのボタンキーの押下等）に基づいて、所定の情報を入力する。また、入力部１０１は、その操作に基づいて入力された情報を制御部１０２へ出力する。
【００２１】
制御部１０２は、入力部１０１に入力された情報を解析し、その結果に基づいて、情報処理装置２００を制御するための制御信号を情報処理装置２００へ送信するように送信部１０３へ指示する。また、制御部１０２は、入力部１０１に入力された情報が、ＩＤ番号（第１の識別情報：リモコン１００に設定される識別情報）である場合、当該ＩＤ番号を記憶部１０４に設定する（記憶させる）。また、制御部１０２は、送信部１０３へ制御信号の送信の指示を行うとき、記憶部１０４に設定されているＩＤ番号を読み出して、制御信号とともに情報処理装置２００へ送信するように指示する。
【００２２】
送信部１０３は、制御部１０２からの指示に基づいて、制御信号および制御部１０２が記憶部１０４から読み出したＩＤ番号を情報処理装置２００へ送信する。なお、この制御信号およびＩＤ番号の送信には、赤外線または電波が用いられるものであっても良い。
【００２３】
図３は、図２に示した送信部１０３から送信されるリモコン信号の構造の一例を示す図である。
【００２４】
図２に示した送信部１０３から送信されるリモコン信号は図３に示すように、ＩＤ番号と制御信号（操作コード）とから構成される。
【００２５】
図４は、図１に示した情報処理装置２００の内部構成の一例を示す図である。ここでは、情報処理装置２００が映像を投影する映像投影装置（例えば、プロジェクタ）である場合を例に挙げて示す。
【００２６】
図１に示した情報処理装置２００には図４に示すように、受信部２０１と、解析部２０２と、比較部２０３と、記憶部２０４（第２の記憶部）と、動作制御部２０５と、投影部２０６とが設けられている。なお、比較部２０３と動作制御部２０５とから制御部（第２の制御部）を構成する。
【００２７】
受信部２０１は、リモコン１００から送信されてきたリモコン信号を受信する。
【００２８】
解析部２０２は、受信部２０１が受信したリモコン信号を解析する。具体的には、解析部２０２は、受信部２０１が受信したリモコン信号から、制御信号およびＩＤ番号を識別し、受信部２０１が受信したリモコン信号を制御信号とＩＤ番号とに分離する。また、解析部２０２は、分離した制御信号およびＩＤ番号を比較部２０３へ出力する。
【００２９】
比較部２０３は、情報処理装置２００が無設定状態モードで動作している状態で、解析部２０２からＩＤ番号が出力されてきた際、記憶部２０４にＩＤ番号（第２の識別情報：解析部２０２から出力されてきたＩＤ番号とは限らない番号）がすでに記憶されているかどうかを判定する。そして、比較部２０３は、記憶部２０４にＩＤ番号が記憶されていないと判定した場合、解析部２０２から出力されてきたＩＤ番号を記憶部２０４に記憶させる。そして、比較部２０３は、解析部２０２から出力されてきたＩＤ番号を記憶部２０４に記憶させた場合、その旨を動作制御部２０５へ通知する。一方、比較部２０３は、記憶部２０４にＩＤ番号がすでに記憶されていると判定した場合、解析部２０２から出力されてきたＩＤ番号と記憶部２０４にすでに記憶されているＩＤ番号とを比較する。
【００３０】
また、比較部２０３は、情報処理装置２００が設定状態モードで動作している状態で、解析部２０２からＩＤ番号が出力されてきた場合、解析部２０２から出力されてきたＩＤ番号と記憶部２０４にすでに記憶されているＩＤ番号とを比較する。
【００３１】
また、比較部２０３は、比較の結果を動作制御部２０５へ通知する。また、比較部２０３は、解析部２０２から出力されてきた制御信号を動作制御部２０５へ出力する。
【００３２】
記憶部２０４は、ＩＤ番号を含む情報を記憶する記憶媒体である。なお、情報処理装置２００が設定状態モードで動作している状態では、記憶部２０４にはＩＤ番号があらかじめ記憶されている。
【００３３】
動作制御部２０５は、情報処理装置２００が無設定状態モードで動作している状態で、比較部２０３からＩＤ番号を記憶部２０４に記憶させた旨が通知された場合、比較部２０３から出力されてきた制御信号に基づいた制御を行う。
【００３４】
また、動作制御部２０５は、比較部２０３から通知された比較の結果が、情報処理装置２００が受信したＩＤ番号と記憶部２０４に記憶されているＩＤ番号とが一致するものである場合、比較部２０３から出力されてきた制御信号に基づいた制御を行う。一方、動作制御部２０５は、比較部２０３から通知された比較の結果が、情報処理装置２００が受信したＩＤ番号と記憶部２０４に記憶されているＩＤ番号とが異なるものである場合は、比較部２０３から出力されてきた制御信号に基づく制御を行わない。
【００３５】
また、動作制御部２０５は、情報処理装置２００が無設定状態モードで動作している場合、記憶部２０４に記憶されているＩＤ番号を所定のタイミングで消去する。この消去のタイミングについては、後述する。
【００３６】
投影部２０６は、動作制御部２０５の制御に基づいて、映像を投影する。また、投影部２０６は、映像を表示するものであっても良い。
【００３７】
また、比較部２０３は、記憶部２０４にＩＤ番号が記憶されていないと判定した場合、解析部２０２から出力されてきたＩＤ番号を記憶部２０４に記憶させる処理を比較部２０３ではなく、動作制御部２０５が行っても良い。この場合、比較部２０３は、解析部２０２から出力されてきたＩＤ番号を記憶部２０４に記憶させずに動作制御部２０５へ出力し、動作制御部２０５は、比較部２０３から出力されてきたＩＤ番号を記憶部２０４に記憶させる（書き込む）。
【００３８】
以下に、図４に示した情報処理装置２００の制御方法について説明する。ここでは、主として、情報処理装置２００の動作モードに無設定状態モードが設定されている場合の制御方法を説明する。なお、情報処理装置２００の動作モードに設定状態モードが設定されている場合の制御方法については、一般的なものと同じである。
【００３９】
図５は、図４に示した情報処理装置２００の制御方法の一例を説明するためのフローチャートである。
【００４０】
まず、ステップ１にて、リモコン１００から送信されたリモコン信号を受信部２０１が受信すると、解析部２０２が当該リモコン信号を解析する。また、ステップ２にて、比較部２０３は、記憶部２０４にすでにＩＤ番号が記憶されているかどうかを判定する。
【００４１】
記憶部２０４にすでにＩＤ番号が記憶されている場合、ステップ３にて、比較部２０３は、解析部２０２が解析したリモコン信号に含まれるＩＤ番号と記憶部２０４に記憶されているＩＤ番号とを比較する。比較の結果、解析部２０２が解析したリモコン信号に含まれるＩＤ番号と記憶部２０４に記憶されているＩＤ番号とが一致した場合、ステップ４にて、動作制御部２０５は、解析部２０２が解析したリモコン信号に含まれる制御信号に基づいた制御を行う。
【００４２】
一方、ステップ２にて、記憶部２０４にＩＤ番号が記憶されていない場合は、ステップ５にて、比較部２０３は、解析部２０２が解析したリモコン信号に含まれるＩＤ番号を記憶部２０４に書き込んで記憶させる。その後、ステップ４の処理が行われる。
【００４３】
なお、設定状態モードが設定されている場合は、記憶部２０４にはＩＤ番号があらかじめ設定されているため、ステップ２の処理は行わず、ステップ３の処理が行われる。
【００４４】
動作制御部２０５が制御を行った後、電源切断の指示があったかどうかをステップ６にて動作制御部２０５が判定する。この電源切断の指示は、例えば、情報処理装置２００に設けられた電源スイッチの利用者の操作によるものや、リモコン１００からの情報処理装置２００の電源の切断を要求する制御信号の送信によるものが考えられるが、これらに限定しない。
【００４５】
一方、ステップ１にて、リモコン１００からリモコン信号を受信部２０１が受信していない場合や、ステップ３にて、解析部２０２が解析したリモコン信号に含まれるＩＤ番号と記憶部２０４に記憶されているＩＤ番号とが一致しない場合は、動作制御部２０５は制御信号に基づいた制御は行わず、ステップ６の処理が行われる。
【００４６】
電源切断の指示があった場合、ステップ７にて、動作制御部２０５は、記憶部２０４に記憶されているＩＤ番号を消去する。そして、ステップ８にて、動作制御部２０５は、情報処理装置２００の電源を切断する。
【００４７】
一方、ステップ６にて、電源切断の指示がない場合は、ステップ１の処理が行われる。
【００４８】
なお、設定状態モードが設定されている場合は、記憶部２０４に記憶されているＩＤ番号を更新する必要はないため、ステップ６にて電源切断の指示があった場合、ステップ７の処理は行わず、ステップ８の処理が行われる。
【００４９】
記憶部２０４が揮発性の記憶媒体である場合、ステップ７の処理を省略することができる。
【００５０】
また、記憶部２０４に記憶されているＩＤ番号を消去するタイミングとして、あらかじめ設定された時間を用いるものであっても良い。
【００５１】
図６は、他の形態で用いる情報処理装置の内部構成の一例を示す図である。
【００５２】
図６に示した情報処理装置２１０は、図１に示した情報処理システムにおいて、情報処理装置２００に代わって用いることができる。
【００５３】
図６に示すように、情報処理装置２１０には、図４に示した構成のうち動作制御部２０５に代えて動作制御部２０７が設けられている。さらに、動作制御部２０７には、タイマ２０８が設けられている。なお、比較部２０３と動作制御部２０７とから制御部を構成する。
【００５４】
動作制御部２０７は、比較部２０３がＩＤ番号を記憶部２０４に記憶させた（書き込んだ）ときにタイマ２０８を起動する。また、動作制御部２０７は、受信されたリモコン信号のＩＤ番号が記憶部２０４に記憶されたＩＤ番号と一致したときに、タイマ２０８をリセットする。また、タイマ２０８が計測している時間が、あらかじめ設定された時間である記憶時間を経過したとき、動作制御部２０７は、記憶部２０４が記憶しているＩＤ番号を消去する。動作制御部２０７のその他の機能は、動作制御部２０５が具備する機能と同じである。
【００５５】
また、この記憶時間は、リモコン１００から設定できるものであっても良い。例えば、利用者がリモコン１００を操作して、記憶時間を示す時間情報を情報処理装置２１０へ送信する。そして、リモコン１００から送信されてきた時間情報を情報処理装置２１０が受信すると、受信した時間情報が示す記憶時間を動作制御部２０７が保持して使用するものであっても良い。
【００５６】
以下に、図６に示した情報処理装置２１０の制御方法について説明する。ここでは、主として、情報処理装置２１０の動作モードに無設定状態モードが設定されている場合の制御方法を説明する。なお、情報処理装置２１０の動作モードに設定状態モードが設定されている場合の制御方法については、一般的なものと同じである。
【００５７】
図７は、図６に示した情報処理装置２１０の制御方法の一例を説明するためのフローチャートである。
【００５８】
まず、ステップ１１にて、リモコン１００から送信されたリモコン信号を受信部２０１が受信すると、解析部２０２が当該リモコン信号を解析する。また、ステップ１２にて、比較部２０３は、記憶部２０４にすでにＩＤ番号が記憶されているかどうかを判定する。
【００５９】
記憶部２０４にすでにＩＤ番号が記憶されている場合、ステップ１３にて、比較部２０３は、解析部２０２が解析したリモコン信号に含まれるＩＤ番号と記憶部２０４に記憶されているＩＤ番号とを比較する。比較の結果、解析部２０２が解析したリモコン信号に含まれるＩＤ番号と記憶部２０４に記憶されているＩＤ番号とが一致した場合、ステップ１４にて、動作制御部２０７は、タイマ２０８を起動して時間の計測を開始させる。また、既にタイマ２０８での時間の計測が行われている場合は、動作制御部２０７は、タイマ２０８をリセットして計測を再度開始させる。
【００６０】
一方、ステップ１２にて、記憶部２０４にＩＤ番号が記憶されていない場合は、ステップ１５にて、比較部２０３は、解析部２０２が解析したリモコン信号に含まれるＩＤ番号を記憶部２０４に書き込んで記憶させる。その後、ステップ１４の処理が行われる。
【００６１】
なお、設定状態モードが設定されている場合は、記憶部２０４にはＩＤ番号があらかじめ設定されているため、ステップ１２の処理は行わず、ステップ１３の処理が行われる。
【００６２】
ステップ１４の処理が行われた後、ステップ１６にて、動作制御部２０７は、解析部２０２が解析したリモコン信号に含まれる制御信号に基づいた制御を行う。
【００６３】
動作制御部２０７が制御信号に基づいた制御を行った後、ステップ１７にて、電源切断の指示があった場合、ステップ１８にて、動作制御部２０７は、記憶部２０４に記憶されているＩＤ番号を消去する。そして、ステップ１９にて、動作制御部２０７は、情報処理装置２１０の電源を切断する。
【００６４】
一方、ステップ１７にて、電源切断の指示がない場合は、ステップ２０にて、動作制御部２０７は、タイマ２０８が計測している時間が、所定の時間である記憶時間を経過したかどうか、つまり、記憶時間に対してタイムアウトしたかどうかを判定する。この「所定の時間」は、装置ごとにあらかじめ設定されているものであっても良いし、リモコン１００から指示されたものであっても良いし、利用者の操作でメニューから任意に選択されるものであっても良い。
【００６５】
一方、ステップ１１にて、リモコン１００からリモコン信号を受信部２０１が受信していない場合や、ステップ１３にて、解析部２０２が解析した信号に含まれるＩＤ番号と記憶部２０４に記憶されているＩＤ番号とが一致しない場合は、動作制御部２０７は制御信号に基づいた制御は行わず、ステップ１７の処理が行われる。
【００６６】
タイムアウトした場合、ステップ２１にて、動作制御部２０７は、記憶部２０４に記憶されているＩＤ番号を消去する。
【００６７】
一方、ステップ２０にて、タイムアウトしていない場合は、ステップ１１の処理が行われる。
【００６８】
なお、設定状態モードが設定されている場合は、記憶部２０４に記憶されているＩＤ番号を更新する必要はないため、ステップ２０，２１の処理は行われない。
【００６９】
また、上述した動作においては、比較部２０３は、解析部２０２が解析したリモコン信号に含まれるＩＤ番号と記憶部２０４に記憶されているＩＤ番号とを比較し、その結果と制御信号とを動作制御部２０５，２０７へ出力し、その結果に基づいて、動作制御部２０５，２０７が、制御信号に基づいた制御を行うか、行わない（制御信号を無効にする）かの処理を行う。一方、比較部２０３が、当該比較を行い、その結果に基づいて、制御信号を動作制御部２０５，２０７へ出力するか、出力しないかの処理を行うものであっても良い。つまり、比較部２０３は、比較の結果、解析部２０２が解析したリモコン信号に含まれるＩＤ番号と記憶部２０４に記憶されているＩＤ番号とが一致した場合、制御信号を動作制御部２０５，２０７へ出力し、そうでない場合は、制御信号を出力しないものであっても良い。
【００７０】
また、比較部２０３はリモコン１００から受信した制御信号（操作コード）が情報処理装置２００，２１０の状態によって有効であるか無効であるかを判定しても良い。例えば、電源が切断されている状態で電源投入を指示する操作コードは有効であるが、電源切断を指示する操作コードは無効であると判定する。リモコン１００から受信した制御信号（操作コード）が無効な操作コードであると判定された場合は、リモコン信号を受信していないと判定しても良い。つまり、図５のステップ１、図７のステップ１１において、判定を「Ｎｏ」として、処理する。このようにすることで、最初に有効な制御信号（操作コード）を受信したリモコン１００のＩＤ番号を設定することができるため、リモコンの操作ミスや異なる制御コードをもつ他の機種のリモコンの操作、等による誤送信による設定を防止することができる。
【００７１】
また、上記の実施の形態では、リモコン１００のＩＤ番号は、入力部１０１に入力された情報に基づいて設定され、記憶部１０４に記憶されたが、当該ＩＤ番号は、入力部１０１に入力された情報に基づいて設定される代わりに、複数の状態を示す１つまたは複数のスイッチをリモコン１００に設け、当該スイッチの状態に基づいて設定されても良い。この場合、制御部１０２は、記憶部１０４に記憶されたＩＤ番号を読み出す代わりに、当該スイッチの状態を検出してＩＤ番号を認識し、認識したＩＤ番号を制御信号とともに情報処理装置２００へ送信するように送信部１０３へ指示する。また、情報処理装置２００のＩＤ番号は、設定状態モードが設定されている場合は、リモコン１００と同様に、情報処理装置２００に設けられたスイッチの状態に基づいて設定され、スイッチで設定されたＩＤ番号に基づいて処理が行われても良い。ただし、無設定状態モードが設定されている場合は、記憶部２０４に記憶されるＩＤ番号およびＩＤ番号の状態（記憶されているかどうかの状態）に基づいて処理が行われる。
【００７２】
このように、情報処理装置が無設定状態モードで動作している場合であっても、一時的に、あるＩＤ番号のリモコンの操作のみを有効とすることで、当該情報処理装置を操作している利用者の意図しない動作を防止することができる。
【００７３】
また、情報処理装置のＩＤ番号をリモコンに合わせて設定する必要がなく、リモコンのＩＤ番号を設定するだけで、例えば、電源を投入して切断するまでの間、当該情報処理装置を操作している利用者の意図しない動作を防止することができる。
【００７４】
また、ＩＤ番号が設定された後、他のリモコンを用いて同じ装置を制御したい場合（例えば、他の利用者が同じ装置を操作するために、他のリモコンを用いる場合）、ＩＤ番号を有効にする時間を設定する、つまり、設定されているＩＤ番号を所定のタイミングで消去することで、その後は、他のリモコンのみを用いて当該装置を制御することができる。例えば、会議などで装置の入力端子Ａに利用者ＡのＰＣ（Ｐｅｒｓｏｎａｌ  Ｃｏｍｐｕｔｅｒ）が接続されており、入力端子Ｂに利用者ＢのＰＣが接続されており、自分の発表時に自分で装置を制御したい、例えば、入力端子を切り替えたいとき、異なるＩＤが設定されているリモコンを一時的に使用したい場合などに、そのリモコンを用いて装置の制御が可能となる。
【００７５】
また、装置を管理している部署に複数のリモコンが無造作に管理されていて、その中から無作為に選んだリモコンを用いる場合、例えば、当該リモコンのＩＤ番号が不明である場合、操作の容易性や、簡易性等を考慮すると、装置は無設定状態モードで動作させることが望ましい。このような場合であっても、利用者の意図しない動作を防止することができる。
【００７６】
また、上述したような広い室内を仕切りなどで区切った２つの会議室それぞれで使用されていたリモコンが、同じ室内のためにいつのまにか入れ替わってしまった場合、設定状態モードで動作しているために、各装置がリモコンに応じた動作を行わず、すぐに会議が開始できないことがあるという不都合を解消することができる。
【００７７】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００７８】
上記の実施の形態の一部または全部は、以下の付記のようにも記載され得るが、以下には限られない。
（付記１）識別情報を記憶する記憶部と、
リモコン装置から第１の識別情報が送信されてきた際、前記記憶部に前記識別情報が記憶されているか否かを判定し、前記記憶部に前記識別情報が記憶されていない場合には、前記第１の識別情報を前記記憶部に記憶させる制御部とを有する情報処理装置。
（付記２）前記制御部は、前記記憶部に前記識別情報が記憶されている場合、前記第１の識別情報と前記記憶部に記憶されている識別情報とを比較し、該比較の結果、前記第１の識別情報と前記記憶部に記憶されている識別情報とが異なることが確認された場合、該第１の識別情報とともに送信されてきた前記制御信号に基づく制御を行わないことを特徴とする、付記１に記載の情報処理装置。
（付記３）前記制御部は、前記記憶部に前記識別情報が記憶されてなくて前記第１の識別情報を前記記憶部に記憶させた場合、または、前記比較の結果、前記第１の識別情報と前記記憶部に記憶されている識別情報とが一致することが確認された場合、該第１の識別情報とともに送信されてきた前記制御信号に基づいた制御を当該情報処理装置に行うことを特徴とする、付記２に記載の情報処理装置。
（付記４）前記制御部は、前記記憶部に前記第１の識別情報を記憶させてから、または、前記比較の結果、前記第１の識別情報と前記記憶部に記憶されている識別情報とが一致することが確認されてから、所定の記憶時間が経過すると、前記第１の識別情報または前記第１の識別情報と一致することが確認された識別情報を前記記憶部から消去することを特徴とする、付記２または付記３に記載の情報処理装置。
（付記５）前記制御部は、前記記憶部に前記第１の識別情報を記憶させてから、または、前記比較の結果、前記第１の識別情報と前記記憶部に記憶されている識別情報とが一致することが確認されてから、前記リモコン装置から送信されてきた時間情報が示す前記記憶時間が経過すると、前記第１の識別情報または前記第１の識別情報と一致することが確認された識別情報を前記記憶部から消去することを特徴とする、付記２または付記３に記載の情報処理装置。
（付記６）前記制御部は、当該情報処理装置の電源を切断する際、前記識別情報を前記記憶部から消去してから、当該情報処理装置の電源を切断することを特徴とする、付記１から５のいずれか１項に記載の情報処理装置。
（付記７）当該情報処理装置は、映像を表示する映像表示装置であることを特徴とする、付記１から６のいずれか１項に記載の情報処理装置。
（付記８）情報を処理する情報処理装置と、前記情報処理装置を制御するための制御信号を前記情報処理装置へ送信するリモコン装置とを有する情報処理システムにおいて、
前記リモコン装置は、
前記制御信号を送信する際、当該リモコン装置に設定されている第１の識別情報を送信する送信部を有し、
前記情報処理装置は、
識別情報を記憶する記憶部と、
前記リモコン装置から前記第１の識別情報が送信されてきた際、前記記憶部に前記識別情報が記憶されているか否かを判定し、前記記憶部に前記識別情報が記憶されていない場合には、前記第１の識別情報を前記記憶部に記憶させる制御部とを有する情報処理システム。
（付記９）情報処理装置の制御方法であって、
リモコン装置から第１の識別情報が送信されてきた際、前記情報処理装置が具備する記憶部に識別情報が記憶されているか否かを判定する処理と、
前記記憶部に前記識別情報が記憶されていない場合には、前記第１の識別情報を前記記憶部に記憶させる処理とを行う制御方法。
【符号の説明】
【００７９】
１００    リモコン
１０１    入力部
１０２    制御部
１０３    送信部
１０４，２０４    記憶部
２００，２１０    情報処理装置
２０１    受信部
２０２    解析部
２０３    比較部
２０５，２０７    動作制御部
２０６    投影部
２０８    タイマ
【図１】
2015032951.tif 000003
【図２】
2015032951.tif 000004
【図３】
2015032951.tif 000005
【図４】
2015032951.tif 000006
【図５】
2015032951.tif 000007
【図６】
2015032951.tif 000008
【図７】
2015032951.tif 000009